(57)【要約】【課題】外周面にラベルを貼着したボトルを箱詰めするにあたって、特に熟練を要することなく、ラベルのボトル挿入方向前縁部が箱側周縁部に引っ掛からないように箱詰めすることができ、その箱詰め作業の一層の能率向上も図り易いボトル箱詰め用治具を提供する。【解決手段】箱内の有底筒状のボトル収納部１に、外周面にラベル２を貼着したボトルＢを挿入して収納するためのボトル箱詰め用治具であって、ボトル収納部におけるボトル収納口６を通してボトルを収納する際に、ボトル収納口を囲む周縁部にラベルが接触しようとした場合に、周縁部とボトルとの間に介在して、ラベルをボトルに押し付ける方向に作用するガイド部材１１と、ガイド部材をボトル収納口を囲む周縁部の内側に入り込むように保持可能な保持部１２とを設けてある。【選択図】図４
2008162616.tif 000002
【特許請求の範囲】
【請求項１】
箱内の有底筒状のボトル収納部に、外周面にラベルを貼着したボトルを挿入して収納するためのボトル箱詰め用治具であって、
ボトル収納部におけるボトル収納口を通してボトルを収納する際に、前記ボトル収納口を囲む周縁部にラベルが接触しようとした場合に、前記周縁部とボトルとの間に介在して、ラベルをボトルに押し付ける方向に作用するガイド部材と、
前記ガイド部材を前記ボトル収納口を囲む周縁部の内側に入り込むように保持可能な保持部とを設けてあるボトル箱詰め用治具。
【請求項２】
前記保持部を、前記周縁部に載置自在で、かつ、前記ボトルをボトル収納部内に挿通自在な開口部を備えた枠状に設けて、
前記保持部を前記周縁部に載置した状態で、前記ガイド部材を保持可能に構成してある請求項１記載のボトル箱詰め用治具。
【請求項３】
弾性ガイド板で前記ガイド部材を構成し、
前記弾性ガイド板を前記枠状の保持部の開口部側に突出するようにその保持部に取り付けて、前記ボトルを前記ボトル収納口から前記ボトル収納部に挿入するに伴って、そのボトルで前記弾性ガイド板を弾性変形させて前記ボトル収納部側に押し込み可能に設けてある請求項２記載のボトル箱詰め用治具。
【請求項４】
前記弾性ガイド板は、前記枠状の保持部の内側において放射状の切り込み又はスリットを形成してある弾性シート材から成る請求項３記載のボトル箱詰め用治具。
【請求項５】
前記保持部を、前記箱内に備えた互いに隣り合う複数の矩形のボトル収納口の夫々を囲む周縁部に載置自在で、かつ、前記ボトルをボトル収納部内に挿通自在な複数の開口部を備えた格子状に設けて、
前記保持部を前記周縁部に載置した状態で、前記ガイド部材を保持可能に構成してある請求項１記載のボトル箱詰め用治具。
【請求項６】
弾性ガイド板で前記ガイド部材を構成し、
前記弾性ガイド板を前記格子状の保持部の各開口部側に突出するようにその保持部に取り付けて、前記ボトルを前記ボトル収納口から前記ボトル収納部に挿入するに伴って、そのボトルで前記弾性ガイド板を弾性変形させて前記ボトル収納部側に押し込み可能に設けてある請求項５記載のボトル箱詰め用治具。
【請求項７】
前記弾性ガイド板は、前記開口部において放射状の切り込み又はスリットを開口部毎に形成してある弾性シート材から成る請求項６記載のボトル箱詰め用治具。
【請求項８】
前記保持部が、脚部と、前記箱の一側面を脚部の側面に当て付けた状態で前記ボトル収納部と前記保持部との相対姿勢を位置決め自在な位置決め部とを備え、
前記脚部で支持し、かつ、前記位置決め部で前記ボトル収納部との相対姿勢を位置決めしてある状態で、前記ボトルを前記ボトル収納口から前記ボトル収納部内に挿入するときに、前記ラベルに対して作用自在になるように前記ガイド部材を前記ボトル収納口に対して保持可能に構成してある請求項１記載のボトル箱詰め用治具。
【請求項９】
弾性ガイド板で前記ガイド部材を構成し、
前記弾性ガイド板を前記ボトル収納口側に突出するように前記保持部に取り付けて、前記ボトルを前記ボトル収納口から前記ボトル収納部内に挿入するに伴って、そのボトルで前記弾性ガイド板を弾性変形させて前記ボトル収納部側に押し込み可能に設けてある請求項８記載のボトル箱詰め用治具。
【請求項１０】
前記ボトルを挿通自在なリング部材を、その外周側の一部又は全部が前記ボトル収納口よりも径方向外方に突出するように、前記保持部に固定してある請求項８又は９記載のボトル箱詰め用治具。
【請求項１１】
前記脚部の水平方向に沿わせる幅を、その上下方向中間位置の脚部部分において残りの脚部部分よりも幅狭に形成してある請求項８〜１０のいずれか１項記載のボトル箱詰め用治具。
【請求項１２】
箱内の有底筒状のボトル収納部に、外周面にラベルを貼着したボトルを挿入して収納してあるボトル収納体であって、
請求項１〜１１のいずれか１項記載のボトル箱詰め用治具を使用して、前記ボトルを前記箱に収納してあるボトル収納体。
【発明の詳細な説明】
【技術分野】
【０００１】
本発明は、箱内の有底筒状のボトル収納部に、外周面にラベルを貼着したボトルを挿入して収納するためのボトル箱詰め用治具とボトル収納体に関する。
【背景技術】
【０００２】
外周面にラベルを貼着したボトルを、箱内の有底筒状のボトル収納部に、そのボトル収納部におけるボトル収納口を通して収納する際には、ラベルのボトル挿入方向前縁部が、ボトル収納口を囲む箱側周縁部などに引っ掛かって、ラベルに皺ができたり、ラベルがボトルから剥離したりするおそれがあったため、従来は、ラベルのボトル挿入方向前縁部が箱側周縁部などに引っ掛からないように、例えば、ボトル収納口を拡げながらボトルを収納する等、熟練の作業者が注意を払いながらボトルを箱詰めしていた（周知慣用技術であり、適切な先行技術文献情報を開示できない）。
【発明の開示】
【発明が解決しようとする課題】
【０００３】
箱内に複数のボトル収納部が存在すると、ボトルの収納が進むと、ボトル収納口を拡げ難くなり、ラベルが剥離するおそれが高くなるため、能率良く箱詰め作業を行うには熟練を要していた。
本発明は上記実情に鑑みてなされたものであって、外周面にラベルを貼着したボトルを箱詰めするにあたって、特に熟練を要することなく、ラベルのボトル挿入方向前縁部が箱側周縁部に引っ掛からないように箱詰めすることができ、その箱詰め作業の一層の能率向上も図り易いボトル箱詰め用治具とボトル収納体を提供することを目的とする。
【課題を解決するための手段】
【０００４】
本発明の第１特徴構成は、箱内の有底筒状のボトル収納部に、外周面にラベルを貼着したボトルを挿入して収納するためのボトル箱詰め用治具であって、ボトル収納部におけるボトル収納口を通してボトルを収納する際に、前記ボトル収納口を囲む周縁部にラベルが接触しようとした場合に、前記周縁部とボトルとの間に介在して、ラベルをボトルに押し付ける方向に作用するガイド部材と、前記ガイド部材を前記ボトル収納口を囲む周縁部の内側に入り込むように保持可能な保持部とを設けてある点にある。
【０００５】
〔作用及び効果〕
ボトル収納部におけるボトル収納口を通してボトルを収納する際に、ボトル収納口を囲む周縁部にラベルが接触しようとした場合に、周縁部とボトルとの間に介在して、ラベルをボトルに押し付ける方向に作用するガイド部材を、ボトル収納口を囲む周縁部の内側に入り込むように保持しておくことができるので、作業者は、特に注意を払うことなく、ラベルのボトル挿入方向前縁部がボトル収納口を囲む箱側周縁部に引っ掛からないように、ボトルをボトル収納部に収納することができる。
従って、外周面にラベルを貼着したボトルを箱詰めするにあたって、特に熟練を要することなく、ラベルのボトル挿入方向前縁部が箱側周縁部に引っ掛からないように箱詰めすることができ、その箱詰め作業の一層の能率向上も図り易い。
【０００６】
本発明の第２特徴構成は、前記保持部を、前記周縁部に載置自在で、かつ、前記ボトルをボトル収納部内に挿通自在な開口部を備えた枠状に設けて、前記保持部を前記周縁部に載置した状態で、前記ガイド部材を保持可能に構成してある点にある。
【０００７】
〔作用及び効果〕
保持部を、ボトル収納口の周縁部に載置自在で、かつ、ボトルをボトル収納部内に挿通自在な開口部を備えた枠状に設けて、保持部をボトル収納口の周縁部に載置した状態で、ラベルをボトルに押し付ける方向に作用するように、ガイド部材を保持可能に構成してあるので、ボトル収納口との相対位置にかかわらず、ラベルに対して作用するようにガイド部材を保持することができると共に、手を使わずにガイド部材を保持することができ、作業効率を高めることができる。
【０００８】
本発明の第３特徴構成は、弾性ガイド板で前記ガイド部材を構成し、前記弾性ガイド板を前記枠状の保持部の開口部側に突出するようにその保持部に取り付けて、前記ボトルを前記ボトル収納口から前記ボトル収納部に挿入するに伴って、そのボトルで前記弾性ガイド板を弾性変形させて前記ボトル収納部側に押し込み可能に設けてある点にある。
【０００９】
〔作用及び効果〕
弾性ガイド板でガイド部材を構成し、弾性ガイド板を枠状の保持部の開口部側に突出するようにその保持部に取り付けて、ボトルをボトル収納口からボトル収納部に挿入するに伴って、そのボトルで弾性ガイド板を弾性変形させてボトル収納部側に押し込み可能に設けてあるので、枠状の保持部の開口部側に突出させたガイド部材を、ボトルをボトル収納口からボトル収納部に挿入するに伴って、ボトル収納部側に押し込む状態に切り換えるような切り換え機構を別途設けることなく、簡易な構造で、ラベルをボトルに押し付ける方向に作用するように、ガイド部材をボトル収納口に対して保持することができる。
【００１０】
本発明の第４特徴構成は、前記弾性ガイド板は、前記枠状の保持部の内側において放射状の切り込み又はスリットを形成してある弾性シート材から成る点にある。
【００１１】
〔作用及び効果〕
弾性ガイド板は、枠状の保持部の内側において放射状の切り込み又はスリットを形成してある弾性シート材から成るので、枠状の保持部に複数の弾性ガイド板を取り付けて、ラベルと弾性ガイド板との相対位置に特に注意を払うことなく、ラベルのボトル挿入方向前縁部が箱側周縁部に引っ掛からないようにするにあたって、複数の弾性ガイド板を枠状の保持部に各別に取り付けるような手間を掛けることなく、複数の弾性ガイド板を同時に枠状の保持部に簡便に取り付けることができる。
【００１２】
本発明の第５特徴構成は、前記保持部を、前記箱内に備えた互いに隣り合う複数の矩形のボトル収納口の夫々を囲む周縁部に載置自在で、かつ、前記ボトルをボトル収納部内に挿通自在な複数の開口部を備えた格子状に設けて、前記保持部を前記周縁部に載置した状態で、前記ガイド部材を保持可能に構成してある点にある。
【００１３】
〔作用及び効果〕
保持部を、箱内に備えた互いに隣り合う複数の矩形のボトル収納口の夫々を囲む周縁部に載置自在で、かつ、ボトルをボトル収納部内に挿通自在な複数の開口部を備えた格子状に設けて、保持部を周縁部に載置した状態で、ラベルをボトルに押し付ける方向に作用するように、ガイド部材を保持可能に構成してあるので、箱内を仕切り板などで仕切って互いに隣り合う複数の矩形のボトル収納部を設けてある場合に、そのボトル収納口毎に一つのボトル箱詰め用治具を使用することなく、一つのボトル箱詰め用治具で、しかも、ボトル収納部の深さにかかわらず、各ボトル収納口に対して同時に、ラベルに対して作用するようにガイド部材を保持して、ボトルを各ボトル収納部に能率良く収納できる。
【００１４】
本発明の第６特徴構成は、弾性ガイド板で前記ガイド部材を構成し、前記弾性ガイド板を前記格子状の保持部の各開口部側に突出するようにその保持部に取り付けて、前記ボトルを前記ボトル収納口から前記ボトル収納部に挿入するに伴って、そのボトルで前記弾性ガイド板を弾性変形させて前記ボトル収納部側に押し込み可能に設けてある点にある。
【００１５】
〔作用及び効果〕
弾性ガイド板でガイド部材を構成し、弾性ガイド板を格子状の保持部の各開口部側に突出するようにその保持部に取り付けて、ボトルをボトル収納口からボトル収納部に挿入するに伴って、そのボトルで弾性ガイド板を弾性変形させてボトル収納部側に押し込み可能に設けてあるので、格子状の保持部の各開口部側に突出させたガイド部材を、ボトルをボトル収納口からボトル収納部に挿入するに伴って、ボトル収納部側に押し込む状態に切り換えるような切り換え機構を別途設けることなく、簡易な構造で、ラベルをボトルに押し付ける方向に作用するように、ガイド部材を各ボトル収納口に対して保持することができる。
【００１６】
本発明の第７特徴構成は、前記弾性ガイド板は、前記開口部において放射状の切り込み又はスリットを開口部毎に形成してある弾性シート材から成る点にある。
【００１７】
〔作用及び効果〕
弾性ガイド板は、格子状の保持部における開口部において放射状の切り込み又はスリットを開口部毎に形成してある弾性シート材から成るので、各開口部毎に弾性ガイド板を格子状の保持部に各別に取り付けるような手間を掛けることなく、切り込み又はスリットで分断された各開口部毎の弾性ガイド板を一体のものとして取り扱って、格子状の保持部に簡便に取り付けることができる。
【００１８】
本発明の第８特徴構成は、
前記保持部が、脚部と、前記箱の一側面を脚部の側面に当て付けた状態で前記ボトル収納部と前記保持部との相対姿勢を位置決め自在な位置決め部とを備え、前記脚部で支持し、かつ、前記位置決め部で前記ボトル収納部との相対姿勢を位置決めしてある状態で、前記ボトルを前記ボトル収納口から前記ボトル収納部内に挿入するときに、前記ラベルに対して作用自在になるように前記ガイド部材を前記ボトル収納口に対して保持可能に構成してある点にある。
【００１９】
〔作用及び効果〕
保持部が、脚部と、その箱の一側面を脚部の側面に当て付けた状態でボトル収納部と保持部との相対姿勢を位置決め自在な位置決め部とを備え、脚部で支持し、かつ、位置決め部でボトル収納部との相対姿勢を位置決めしてある状態で、ボトルをボトル収納口からボトル収納部内に挿入するときに、ラベルに対して作用自在になるようにガイド部材をボトル収納口に対して保持可能に構成してあるので、保持部を持ち上げてボトル収納部との相対姿勢を位置決めするような煩雑な操作によらずに、脚部で支持した保持部と箱とを相対的に近接移動させる簡便な操作で、ボトル収納部と保持部との相対姿勢を位置決めして、ラベルに対して作用自在になるようにガイド部材をボトル収納口に対して能率良く保持することができる。
【００２０】
本発明の第９特徴構成は、
弾性ガイド板で前記ガイド部材を構成し、前記弾性ガイド板を前記ボトル収納口側に突出するように前記保持部に取り付けて、前記ボトルを前記ボトル収納口から前記ボトル収納部内に挿入するに伴って、そのボトルで前記弾性ガイド板を弾性変形させて前記ボトル収納部側に押し込み可能に設けてある点にある。
【００２１】
〔作用及び効果〕
弾性ガイド板でガイド部材を構成し、その弾性ガイド板をボトル収納口側に突出するように保持部に取り付けて、ボトルをボトル収納口からボトル収納部内に挿入するに伴って、そのボトルで弾性ガイド板を弾性変形させてボトル収納部側に押し込み可能に設けてあるので、ボトル収納口側に突出させたガイド部材を、ボトルをボトル収納口からボトル収納部に挿入するに伴って、ボトル収納部側に押し込む状態に切り換えるような切り換え機構を別途設けることなく、簡易な構造で、ラベルをボトルに押し付ける方向に作用するように、ガイド部材をボトル収納口に対して保持することができる。
【００２２】
本発明の第１０特徴構成は、前記ボトルを挿通自在なリング部材を、その外周側の一部又は全部が前記ボトル収納口よりも径方向外方に突出するように、前記保持部に固定してある点にある。
【００２３】
〔作用及び効果〕
ボトル収納口を開閉するための蓋用フラップを一体に設けてある箱の場合、ボトルをボトル収納口からボトル収納部に挿入する際に、蓋用フラップがボトル収納口側に倒れ込んで、その挿入作業の邪魔になるおそれがあるが、ボトルを挿通自在なリング部材を、その外周側の一部又は全部がボトル収納口よりも径方向外方に突出するように、保持部に固定してあるので、リング部材で蓋用フラップのボトル収納口側への倒れ込みを阻止しながら、ボトルをボトル収納口からボトル収納部に能率良く挿入できる。
【００２４】
本発明の第１１特徴構成は、前記脚部の水平方向に沿わせる幅を、その上下方向中間位置の脚部部分において残りの脚部部分よりも幅狭に形成してある点にある。
【００２５】
〔作用及び効果〕
脚部の水平方向に沿わせる幅を、その上下方向中間位置の脚部部分において残りの脚部部分よりも幅狭に形成してあるので、箱の上下方向中間位置を手指で掴んで、その一側面を脚部の側面に当て付けて位置決めする際に、手指と脚部とが干渉しにくく、精度良く位置決めできる。
【００２６】
本発明の第１２特徴構成は、箱内の有底筒状のボトル収納部に、外周面にラベルを貼着したボトルを挿入して収納してあるボトル収納体であって、請求項１〜１１のいずれか１項記載のボトル箱詰め用治具を使用して、前記ボトルを前記箱に収納してある点にある。
【００２７】
〔作用及び効果〕
請求項１〜１１のいずれか１項記載のボトル箱詰め用治具を使用して、ボトルを箱に収納してあるので、収納してあるボトルに貼着してあるラベルに皺ができていたり、ラベルがボトルから剥離しているおそれが無い。
【発明を実施するための最良の形態】
【００２８】
以下に本発明の実施の形態を図面に基づいて説明する。尚、図面において従来例と同一の符号で表示した部分は、同一又は相当の部分を示している。
〔第１実施形態〕
図１は、ボトルＢを収納する両面段ボール紙製箱Ｃを示し、図２，図３は、その箱Ｃ内に設けてある複数の有底角筒状のボトル収納部１の夫々に、外周面に紙製ラベル２を貼着したガラス製ボトルＢを挿入して収納するために使用する本発明によるボトル箱詰め用治具Ａを示している。
【００２９】
前記箱Ｃは、図１に示すように、矩形の上向き開口部を開閉するための蓋用フラップ３を四つの各箱側壁４（４ａ）毎に一体に延設してある直方体形状に形成してあり、その内側を両面段ボール紙製仕切り用板材５で仕切って、板面がボトル収納方向に沿う板材（箱側壁，仕切り用板材）で囲まれた複数の筒状のボトル収納部１と、そのボトル収納部１の一端側に開口するボトル収納部１毎のボトル収納口６とを備え、ボトル収納口６の少なくとも一部、つまり、仕切り用板材５側が、その仕切り用板材５の切断周縁部（箱側周縁部）７で囲まれている。
【００３０】
前記ボトルＢは、図４に示すように、円形底部８と円筒状胴部９とを備えていてウイスキーや清酒などの酒類を瓶詰めしてある所謂丸瓶であって、ボトル収納部１への挿入方向に略沿うボトル外周面、つまり、円筒状胴部９の外周面にラベル２を貼着してあり、円形底部８側を下向きにしてボトル収納部１に収納するようにしてある。
【００３１】
前記ボトル箱詰め用治具Ａは、図２，図３に示すように、ボトル収納部１におけるボトル収納口６を通してボトルＢを収納する際に、ラベル２が接触した場合にそのラベル２をボトルＢに押し付ける方向に作用するガイド面１０を備えたガイド部材１１と、ガイド面１０がラベル２に対してボトルＢに押し付ける方向に作用するように、ガイド部材１１をボトル収納口６に対して保持可能な保持部１２とを設けてある。
【００３２】
つまり、ガイド部材１１は、図５に示すように、ラベル２のボトル挿入方向前縁部１３におけるラベル端面１４と外向きラベル面１５とが交差する交差部位１６に対して接触可能なガイド面１０を備えている。
【００３３】
具体的には、一側面側をガイド面１０に形成可能な弾性ガイド板でガイド部材１１を構成してあり、ラベル２とガイド部材１１との相対位置に特に注意を払うことなく、ラベル２のボトル挿入方向前縁部１３が箱側周縁部７に引っ掛からないようにするために、そのガイド部材１１の複数を、保持部１２に備えた円形の保持フレーム１２ａに沿ってその円形開口部１７側に突出するように接着によって取り付けて、図４に示すように、ボトルＢの円形底部８側をボトル収納口６からボトル収納部１に挿入するに伴って、そのボトルＢでガイド部材１１を弾性変形させてボトル収納部１側に押し込み可能に設けてある。
【００３４】
前記保持部１２は、具体的には、ボトル収納口６の内方でその周部に沿って配置自在、かつ、ボトルＢをボトル収納方向に挿通自在な開口部１７を備えた円筒枠状の樹脂製保持フレーム１２ａと把持部１８とで構成して、図２，図３に示すように、保持フレーム１２ａをボトル収納口６の周部に沿って配置した状態で、図４に示すように、ボトルＢをボトル収納口６からボトル収納部１に挿入するときに、ラベル２が接触した場合に、ガイド面１０がそのラベル２をボトルＢに押し付ける方向に作用するように、ガイド部材１１をボトル収納口６に対して保持可能に構成してある。
【００３５】
つまり、ボトルＢをボトル収納口６からボトル収納部１に挿入するときに、ラベル端面１４がボトル収納口６に移動するに伴って、図５（イ）に示すように、ガイド面１０が外向きラベル面１５に対して傾斜する傾斜姿勢で、ラベル端面１４と外向きラベル面１５との交差部位１６に対して接触し、その後、ラベル端面１４がボトル収納部１に入り込むに伴って、図５（ロ）に示すように、ガイド面１０がラベル２をボトルＢに押し付ける方向に作用するように、ガイド部材１１をボトル収納口６に対して保持可能に設けてある。
【００３６】
前記ガイド部材１１の複数は、図６に示すように、円形の保持部１２の内側において放射状、つまり、円形の保持部１２の径方向に沿う放射状の切り込み又はスリット１９を形成してある円形の弾性シート材２０で構成してあり、この弾性シート材２０の外径を保持フレーム１２ａの外径と略同径に形成し、環状の帯板部分２１が略円筒状に変形するように強制的に押し広げながら保持フレーム１２ａの外周側に外嵌して、接着剤で接着して取り付けてあるが、接着剤に代えて、ビスなどで機械的に取り付けてあっても良い。
尚、図７に示すように、ガイド部材１１の複数を形成してある帯状の弾性シート材２０を保持フレーム１２ａの外周側に沿って巻き付けて接着することによって取り付けても良い。
【００３７】
図８は、本実施形態で示したボトル箱詰め用治具Ａを使用して、箱Ｃ内の複数のボトル収納部１の夫々に、外周面にラベル２を貼着したボトルＢを挿入して収納してあるボトル収納体Ｄを示す。
【００３８】
〔第２実施形態〕
図９は、本発明によるボトル箱詰め用治具Ａの別実施形態を示し、保持部１２を、図１０に示すように、箱Ｃに備えた互いに隣り合う複数の矩形ボトル収納口６の夫々を囲む周縁部７に載置自在、かつ、ボトルＢをボトル収納方向に挿通自在な複数の矩形開口部１７を備えた格子状の樹脂製フレームで構成し、この樹脂製フレーム１２の矩形開口部１７毎に、複数のガイド部材１１を取り付けて、図１１，図１２に示すように、各ボトル収納口６の周縁部７に載置できるように構成してある。
【００３９】
前記複数のガイド部材１１は、図１０に示すように、矩形開口部１７の径方向に沿う放射状の切り込み又はスリット１９を矩形開口部１７毎に対応して形成してある矩形の弾性シート材２０から構成してあって、その透明弾性シート材２０は樹脂製フレーム１２に接着して設けてある。
【００４０】
つまり、ガイド部材１１を一側面側をガイド面１０に形成可能な弾性ガイド板で構成してあり、そのガイド部材１１の複数を格子状の樹脂製フレーム１２の各矩形開口部１７側に突出するようにその樹脂製フレーム１２に接着によって取り付けて、ボトルＢをボトル収納口６からボトル収納部１に挿入するに伴って、そのボトルＢでガイド部材１１を弾性変形させて前記ボトル収納部１側に押し込み可能に設けてある。
【００４１】
前記樹脂製フレーム１２は、仕切り用板材５の上端面に沿って載置する仕切りフレーム部分２２と、箱側壁４の上縁部に沿って一連に載置する外枠フレーム部分２３とを一体に備えた格子状に形成してあるとともに、各フレーム部分２２，２３は、ボトル収納口６の周縁部７に載置した状態でボトル収納口６側にはみ出さない幅に形成してあり、略中央部には取っ手２４を設けてある。
【００４２】
そして、図１３に示すように、ボトルＢをボトル収納口６からボトル収納部１に挿入するときに、ラベル端面１４がボトル収納口６に移動するに伴って、図１４（イ）に示すように、ガイド面１０が外向きラベル面１５に対して傾斜する傾斜姿勢で、ラベル端面１４と外向きラベル面１５との交差部位１６に対して接触し、その後、ラベル端面１４がボトル収納部１に入り込むに伴って、図１４（ロ）に示すように、ガイド面１０がラベル２をボトルＢに押し付ける方向に作用するように、ガイド部材１１をボトル収納口６に対して保持可能に設けてある。
その他の構成は第１実施形態と同様である。
【００４３】
〔第３実施形態〕
図１５は、本発明によるボトル箱詰め用治具Ａの別実施形態を示し、図１６に示すように、保持部１２を、箱Ｃに備えた互いに隣り合う複数の矩形ボトル収納口６の周縁部７に載置自在、かつ、ボトルＢをボトル収納方向に挿通自在な複数の円形開口部１７を備えた格子状の樹脂製板材で形成し、この樹脂製板材１２に、円形開口部１７の径方向に沿う放射状の切り込み又はスリット１９を円形開口部１７毎に対応して形成してある矩形の弾性シート材２０を接着して、円形開口部１７毎に複数のガイド部材１１を取り付けた状態にしてある。
その他の構成は第２実施形態と同様である。
【００４４】
〔第４実施形態〕
図１７は、本発明によるボトル箱詰め用治具Ａの別実施形態を示し、保持部１２を、仕切り用板材５の上端面に載置する仕切りフレーム部分２２のみからなる格子状に形成して、箱側壁４の上縁部に沿わせるガイド部材１１の取り付けを省略し、図１８に示すように、略四角筒状の胴部９を備えたボトル（角瓶）Ｂを収納できるようにしてある。
その他の構成は第２実施形態と同様である。
【００４５】
〔第５実施形態〕
図１９は、紙製箱（化粧箱）Ｃ内に設けてある単一の有底角筒状のボトル収納部１に、外周面に紙製ラベル２を貼着した一本のボトル（丸瓶）Ｂを収納するために使用する本発明によるボトル箱詰め用治具Ａの別実施形態を示している。
【００４６】
前記箱Ｃは、図２０に示すように、矩形のボトル収納口６を開閉するための蓋用フラップ３を三つの箱側壁４（４ａ）に一体に延設してある直方体形状に形成してあり、板面がボトル収納方向に沿う板材（箱側壁４）で囲まれた単一のボトル収納部１と、そのボトル収納部１の一端側に開口する一つのボトル収納口６とを備え、ボトル収納口６の少なくとも一部、つまり、蓋用フラップ３を延設していない箱側壁４（４ｂ）側が、その箱側壁用板材の切断周縁部（箱側周縁部）７で囲まれている。
【００４７】
前記ボトル箱詰め用治具Ａは、ボトル収納部１におけるボトル収納口６を通してボトルＢを収納する際に、ラベル２が接触した場合にそのラベル２をボトルＢに押し付ける方向に作用するガイド面１０を備えたガイド部材１１と、ガイド面１０がラベル２に対してボトルＢに押し付ける方向に作用するように、ガイド部材１１をボトル収納口６に対して保持可能な保持部１２とを設けてある。
【００４８】
前記保持部１２は、箱Ｃの載置面２５に支持可能な扁平板状脚部２６と、載置面２５に載置してある箱Ｃの外周面を当て付けてボトル収納部１と保持部１２との相対姿勢を位置決め自在な位置決め部２７とを備え、扁平板状脚部２６の上縁部１２ｂにガイド部材１１を取り付け、板状脚部２６の下端部には、粘着テープなどで載置面２５に固定する固定部２８を延設してある。
【００４９】
前記位置決め部２７は、板状脚部２６と、板状脚部２６に対して略９０度の角度で交差するようにその板状脚部２６の側縁部に延設してある当て板２９とで構成して、板状脚部２６と当て板２９とに、箱Ｃの側壁角部を形成している二つの箱側壁４の外面を同時に当て付けて、ボトル収納部１と保持部１２との相対姿勢を位置決めできるように構成してある。
【００５０】
前記ガイド部材１１は、ラベル２のボトル挿入方向前縁部１３におけるラベル端面１４と外向きラベル面１５とが交差する交差部位１６に対して接触可能なガイド面１０を備えている。
【００５１】
具体的には、一側面側をガイド面１０に形成可能な弾性シート材２０からなる弾性ガイド板でガイド部材１１を構成してあり、このガイド部材１１をボトル収納口６側に突出するように上縁部１２ｂに接着して取り付け、ボトルＢをボトル収納口６からボトル収納部１内に挿入するに伴って、そのボトルＢでガイド部材１１を弾性変形させてボトル収納部１側に押し込み可能に設けてある。
【００５２】
そして、図２１に示すように、板状脚部２６で載置面２５に支持し、かつ、位置決め部２７でボトル収納部１との相対姿勢を位置決めしてある状態で、ボトルＢをボトル収納口６からボトル収納部１に挿入するときに、ラベル端面１４がボトル収納口６に移動するに伴って、図２２（イ）に示すように、ガイド面１０が外向きラベル面１５に対して傾斜する傾斜姿勢で、ラベル端面１４と外向きラベル面１５との交差部位１６に対して接触し、その後、ラベル端面１４がボトル収納部１に入り込むに伴って、図２２（ロ）に示すように、ガイド面１０がラベル２をボトルＢに押し付ける方向に作用するように、ガイド部材１１をボトル収納口６に対して保持可能に設けてある。
【００５３】
〔第６実施形態〕
図２３は、第５実施形態の変形例を示し、ボトルＢを挿通自在な円環状のリング部材３０を、その外周側の一部又は全部がボトル収納口６よりも外側に突出するように、保持部１２に固定してあるとともに、板状脚部２６の両側縁部に、その上下方向中間位置において互いに最も近接する円弧形状部分を形成して、板状脚部２６の水平方向に沿わせる幅を、その上下方向中間位置の脚部部分３１において残りの脚部部分よりも幅狭に形成してある。
【００５４】
そして、図２４に示すように、箱Ｃを手指３２で把持したときに、その手指３２が板状脚部２６と干渉せず、また、図２５に示すように、リング部材３０で蓋用フラップ３のボトル収納口６側への倒れ込みを阻止しながら、ボトルＢをボトル収納口６からボトル収納部１に挿入できるように構成してある。
その他の構成は第５実施形態と同様である。
【００５５】
〔その他の実施形態〕
１．本発明によるボトル箱詰め用治具は、ラベルを貼着した円瓶のボトルを箱に収納するために使用するものであっても、ラベルを貼着した角瓶のボトルを箱に収納するために使用するものであっても良い。
２．本発明によるボトル箱詰め用治具は、保持部とガイド部材とを樹脂などで一体形成してあってもよい。
３．本発明によるボトル箱詰め用治具は、ラベルを貼着したボトルを段ボール紙の他、コートボール紙，ボール紙，クラフト紙，アクリル紙、厚紙などの各種の板紙製や樹脂製，木製の箱に収納するために使用するものであっても良い。
４．本発明によるボトル箱詰め用治具は、ラベルを貼着したボトルを多角形の筒状化粧箱に収納するために使用するものであっても良い。
５．本発明によるボトル箱詰め用治具は、箱本体に対して着脱自在な箱蓋を別に設けてある箱のように、ボトル収納口が全周に亘って箱側壁の切断周縁部で囲まれている箱に、ラベルを貼着したボトルを収納するために使用するものであっても良い。
６．本発明によるボトル箱詰め用治具は、箱側壁が円筒状の箱にラベルを貼着したボトルを収納するために使用するものであっても良い。
７．本発明によるボトル箱詰め用治具には、前記リング部材３０として、ボトルを挿通自在な円環状リング部材に代えて、多角形の環状リング部材やＣ形リング部材を、その外周側の一部又は全部がボトル収納口よりも外側に突出するように、保持部に固定してあっても良い。
【図面の簡単な説明】
【００５６】
【図１】箱の斜視図
【図２】ボトル箱詰め用治具の使用方法を示す平面図
【図３】ボトル箱詰め用治具の使用方法を示す一部断面側面図
【図４】ボトル箱詰め用治具の使用方法を示す一部断面側面図
【図５】要部の一部断面側面図
【図６】要部の斜視図
【図７】要部の平面図
【図８】ボトル収納体の斜視図
【図９】第２実施形態を示すボトル箱詰め用治具の斜視図
【図１０】ボトル箱詰め用治具の分解斜視図
【図１１】ボトル箱詰め用治具の使用方法を示す斜視図
【図１２】要部の縦断面図
【図１３】ボトル箱詰め用治具の使用方法を示す一部断面側面図
【図１４】要部の一部断面側面図
【図１５】第３実施形態を示すボトル箱詰め用治具の斜視図
【図１６】ボトル箱詰め用治具の分解斜視図
【図１７】第４実施形態を示すボトル箱詰め用治具の斜視図
【図１８】ボトル箱詰め用治具の使用方法を示す斜視図
【図１９】第５実施形態を示すボトル箱詰め用治具の斜視図
【図２０】ボトル箱詰め用治具の使用方法を示す斜視図
【図２１】ボトル箱詰め用治具の使用方法を示す斜視図
【図２２】要部の一部断面側面図
【図２３】第６実施形態を示すボトル箱詰め用治具の斜視図
【図２４】ボトル箱詰め用治具の使用方法を示す斜視図
【図２５】ボトル箱詰め用治具の使用方法を示す一部断面側面図
【符号の説明】
【００５７】
１  ボトル収納部
２  ラベル
６  ボトル収納口
７  周縁部
１０  ガイド面
１１  ガイド部材（弾性ガイド板）
１２  保持部
１７  開口部
１９  切り込み又はスリット
２０  弾性シート材
２５  載置面
２６  脚部
２７  位置決め部
３０  リング部材
３１  脚部部分
Ａ  ボトル箱詰め用治具
Ｂ  ボトル
Ｃ  箱
Ｄ  ボトル収納体
【図１】
2008162616.tif 000003
【図２】
2008162616.tif 000004
【図３】
2008162616.tif 000005
【図４】
2008162616.tif 000006
【図５】
2008162616.tif 000007
【図６】
2008162616.tif 000008
【図７】
2008162616.tif 000009
【図８】
2008162616.tif 000010
【図９】
2008162616.tif 000011
【図１０】
2008162616.tif 000012
【図１１】
2008162616.tif 000013
【図１２】
2008162616.tif 000014
【図１３】
2008162616.tif 000015
【図１４】
2008162616.tif 000016
【図１５】
2008162616.tif 000017
【図１６】
2008162616.tif 000018
【図１７】
2008162616.tif 000019
【図１８】
2008162616.tif 000020
【図１９】
2008162616.tif 000021
【図２０】
2008162616.tif 000022
【図２１】
2008162616.tif 000023
【図２２】
2008162616.tif 000024
【図２３】
2008162616.tif 000025
【図２４】
2008162616.tif 000026
【図２５】
2008162616.tif 000027